(57)【要約】  受領者及び要求された処方薬に関係する医療処方箋についての情報を受信するように構成される通信モジュールと、受領者及び医療処方箋のうちの少なくとも一方の認証を実行するように構成される認証モジュールと、処方薬及び処方薬を生成するための材料を貯蔵するように構成される内部容器と、（ｉ）認証の成功裡の完了の後に、処方薬のうちの１つ又は材料のうちの少なくとも１つを使用して、要求された処方薬を調剤し、（ｉｉ）要求された処方薬を分配容器に充填するように構成される、複数の調合モジュールと、不正開封防止筐体と、分配容器を不正開封防止筐体の出口へ移動させるように構成されるマニピュレータと、を備え得る自動処方薬ディスペンサであって、不正開封防止筐体は、内部容器、調合モジュール、及び分配容器への不正アクセスを防止するように構成される。
2019534082.tif 000002
【特許請求の範囲】
【請求項１】
受領者及び要求された処方薬に関係する医療処方箋についての情報を受信するように構成される通信モジュールと、
前記受領者及び前記医療処方箋のうちの少なくとも一方の認証を実行するように構成される認証モジュールと、
処方薬及び処方薬を生成するための材料を貯蔵するように構成される内部容器と、
（ｉ）前記認証の成功裡の完了の後に、前記処方薬のうちの１つ又は前記材料のうちの少なくとも１つを使用して、前記要求された処方薬を調剤し、（ｉｉ）前記要求された処方薬を分配容器に充填するように構成される、複数の調合モジュールと、
不正開封防止筐体と、
分配容器を前記不正開封防止筐体の出口へ移動させるように構成されるマニピュレータと
を備え、
前記不正開封防止筐体は、前記内部容器、前記調合モジュール、及び前記分配容器への不正アクセスを防止するように構成される、自動処方薬ディスペンサ。
【請求項２】
前記認証モジュールは、少なくとも１つの生体認証ユニットを備える、請求項１に記載の自動処方薬ディスペンサ。
【請求項３】
受領者と医療処方箋とを対応づける第１のデータベースを格納するためのメモリ・ユニットを備え、前記認証モジュールは、前記医療処方箋についての前記情報を受信し、前記受領者を生体認証し、前記受領者と前記医療処方箋とが互いに対応づけられるか否かを確認するよう構成される、請求項１に記載の自動処方薬ディスペンサ。
【請求項４】
前記メモリ・ユニットは、医学的に同等である処方薬を互いに対応づけるための第２のデータベースを格納するようにも構成される、請求項３に記載の自動処方薬ディスペンサ。
【請求項５】
前記調合モジュールは、前記認証の前記成功裡の完了の後に、前記第１及び前記第２のデータベースの内容に基づいて前記調剤された処方薬を用意するよう構成される、請求項４に記載の自動処方薬ディスペンサ。
【請求項６】
前記調剤された処方薬を摂取するための指示書を印刷するように構成されるプリンタをさらに備える、請求項１に記載の自動処方薬ディスペンサ。
【請求項７】
医療従事メンバと前記医療従事メンバによって処方されることを認証された医療処方箋との間の対応づけを格納する医療従事メンバ信用証明書データベースを格納するためのメモリ・ユニットを備える、請求項１に記載の自動処方薬ディスペンサ。
【請求項８】
医療処方箋の以前の利用に関する情報を格納するための医療処方箋使用データベースを格納するためのメモリ・ユニットを備える、請求項１に記載の自動処方薬ディスペンサ。
【請求項９】
前記複数の調合モジュールは、処方薬を生成するために、流体を前記材料のうちの少なくとも１つと混合するよう構成される湿式調合モジュールを含む、請求項１に記載の自動処方薬ディスペンサ。
【請求項１０】
処方薬を生成するために、乾いた材料のみを利用するように構成される乾式調合モジュールをさらに備える、請求項９に記載の自動処方薬ディスペンサ。
【請求項１１】
前記湿式混合及び調合モジュールは、１つ又は複数の粉末ディスペンサ、流体ディスペンサ、及びミキサを備える、請求項９に記載の自動処方薬ディスペンサ。
【請求項１２】
前記湿式混合及び調合モジュールは、充填プロセス中及び器の中身を空にするプロセス中に、前記器を移動させるためのマニピュレータを備える、請求項１１に記載の自動処方薬ディスペンサ。
【請求項１３】
前記器の前記中身を計量するための重りを備える、請求項１２に記載の自動処方薬ディスペンサ。
【請求項１４】
前記器を洗浄及び消毒するように構成される、洗浄及び消毒モジュールを備える、請求項１２に記載の自動処方薬ディスペンサ。
【請求項１５】
前記１つ又は複数の粉末ディスペンサは、冷却ディスペンサ及び加熱ディスペンサを含む、請求項１１に記載の自動処方薬ディスペンサ。
【請求項１６】
前記複数の調合モジュールは、種々の粉末を貯蔵するための異なる区画を備える粉末貯蔵及び混合モジュール、異なる種類の包装された処方薬を貯蔵するための複数の区画を備える包装薬剤ディスペンサ、並びに未包装薬剤用の複数の区画を備える未包装薬剤ディスペンサを含む、請求項１に記載の自動処方薬ディスペンサ。
【請求項１７】
前記空容器を格納するための格納装置を含む、空容器格納及び分配モジュールと、１つ又は複数の空容器を選択的に排出するための空容器分配機とを備える、請求項１に記載の自動処方薬ディスペンサ。
【請求項１８】
自動処方薬ディスペンサによって、要求された処方薬を提供する方法であって、
前記自動処方薬ディスペンサの通信モジュールによって、受領者及び要求された処方薬に関係する、医療処方箋についての情報を受信するステップと、
前記自動処方薬ディスペンサの認証モジュールによって、前記受領者及び前記医療処方箋のうちの少なくとも一方の認証を実行するステップと、
前記自動処方薬ディスペンサの内部容器によって、処方薬及び処方薬を生成するための材料を貯蔵するステップと、
前記認証の成功裡の完了の後に、前記自動処方薬ディスペンサの複数の調合モジュールのうちの少なくとも１つの調合モジュールによって、前記処方薬のうちの１つ又は前記材料のうちの少なくとも１つを使用して、前記要求された処方薬を調剤するステップと、前記要求された処方薬を分配容器に充填するステップと、
前記自動処方薬ディスペンサのマニピュレータによって、分配容器を前記不正開封防止筐体の出口へ移動させるステップと
を含み、
前記複数の調合モジュール及び前記内部容器は、不正開封防止筐体内に密閉される、方法。
【請求項１９】
少なくとも１つの生体認証ユニットによって認証を実行するステップを含む、請求項１８に記載の方法。
【請求項２０】
前記自動処方薬ディスペンサのメモリ・ユニットに、受領者と医療処方箋とを対応づける第１のデータベースを格納するステップを含む、請求項１８に記載の方法。
【請求項２１】
前記認証モジュールによって、前記医療処方箋についての前記情報を受信するステップと、前記受領者を生体認証するステップと、前記受領者及び前記医療処方箋とが互いに対応づけられるか否かを確認するステップとを含む、請求項１９に記載の方法。
【請求項２２】
医学的に同等である処方薬を互いに対応づけるための第２のデータベースをメモリ・ユニットに格納するステップを含む、請求項２１に記載の方法。
【請求項２３】
前記少なくとも１つの調合モジュールによって、前記認証の前記成功裡の完了の後に、前記第１及び前記第２のデータベースの内容に基づいて、前記調剤された処方薬を用意するステップを含む、請求項２２に記載の方法。
【請求項２４】
前記自動処方薬ディスペンサのプリンタによって、前記調剤された処方薬を摂取するための指示書を、前記分配容器上に印刷するステップを含む、請求項１８に記載の方法。
【請求項２５】
前記自動処方薬ディスペンサのメモリ・ユニットに、医療従事メンバと前記医療従事メンバによって処方されることを認証された医療処方箋との間の対応づけを格納する医療従事メンバ信用証明書データベースを格納するステップを含む、請求項１８に記載の方法。
【請求項２６】
前記自動処方薬ディスペンサのメモリ・ユニットに、医療処方箋の以前の利用に関する情報を格納するための医療処方箋使用データベースを格納するステップを含む、請求項１８に記載の方法。
【請求項２７】
前記自動処方薬ディスペンサの湿式調合モジュールによって、処方薬を生成するために、流体を前記材料のうちの少なくとも１つと混合するステップを含む、請求項１８に記載の方法。
【請求項２８】
乾式調合モジュールによって、処方薬を生成するために、乾いた材料のみを利用するステップを含む、請求項１８に記載の方法。
【請求項２９】
１つ又は複数の粉末ディスペンサ、流体ディスペンサ、及びミキサを備える、乾式調合モジュールを使用するステップを含む、請求項１８に記載の方法。
【請求項３０】
マニピュレータによって、充填プロセス中及び器の中身を空にするプロセス中に、前記器を移動させるステップを含む、請求項１８に記載の方法。
【請求項３１】
前記器の前記中身を計量するステップを含む、請求項３０に記載の方法。
【請求項３２】
前記器を洗浄するステップ及び前記器を消毒するステップのうちの少なくとも一方を含む、請求項３０に記載の方法。
【請求項３３】
冷却ディスペンサ及び加熱ディスペンサのうちの少なくとも一方の中に粉末を貯蔵するステップを含む、請求項１８に記載の方法。
【請求項３４】
粉末貯蔵及び混合モジュールの異なる区画内に、異なる粉末を貯蔵するステップを含む、請求項１８に記載の方法。
【請求項３５】
包装薬剤ディスペンサ内に、異なる種類の包装された処方薬を貯蔵するステップと、未包装薬剤ディスペンサ内に、未包装薬剤を貯蔵するステップとを含む、請求項１８に記載の方法。
【請求項３６】
空容器格納及び分配モジュール内に空容器を格納するステップ、及び空容器分配機によって、１つ又は複数の空容器を選択的に排出するステップを含む、請求項１８に記載の方法。
【発明の詳細な説明】
【技術分野】
【０００１】
本出願は、出願日が２０１６年１０月２７日である米国仮特許出願第６２／４１３４６６号の優先権を主張する。
【背景技術】
【０００２】
様々な健康上の問題は、リアルタイムでの監視を必要とする。
【０００３】
通常、医師又は他の任意の医療従事メンバなどの医療従事メンバは、時間的な制約（医療従事メンバの、限られた対応可能性）に起因して、及び／又は個人と医療従事メンバとの間の距離に起因して、リアルタイムで対応することができない。いくつかの症状は、特定の時点で現れることがあり、個人が医療従事メンバによって最終的に確認されると消失することがある。
【発明の概要】
【発明が解決しようとする課題】
【０００４】
人をリアルタイムで監視し、処方薬を迅速に提供することに対するニーズが高まっている。
【課題を解決するための手段】
【０００５】
受領者及び要求された処方薬に関係する医療処方箋についての情報を受信するように構成され得る通信モジュールと、受領者及び医療処方箋のうちの少なくとも一方の認証を実行するように構成され得る認証モジュールと、処方薬及び処方薬を生成するための材料を貯蔵するように構成され得る内部容器と、（ｉ）認証の成功裡の完了の後に、処方薬のうちの１つ又は材料のうちの少なくとも１つを使用して、要求された処方薬を調剤し、（ｉｉ）要求された処方薬を分配容器に充填するように構成され得る、複数の調合モジュールと、不正開封防止筐体と、分配容器を不正開封防止筐体の出口へ移動させるように構成され得るマニピュレータとを備えることができる、自動処方薬ディスペンサが提供され得る。ここで、不正開封防止筐体は、内部容器、調合モジュール、及び分配容器への不正アクセスを防止するように構成され得る。
【０００６】
認証モジュールは、少なくとも１つの生体認証ユニットを備え得る。
【０００７】
自動処方薬ディスペンサは、受領者と医療処方箋とを対応づける第１のデータベースを格納するためのメモリ・ユニットを備え得る。ここで、認証モジュールは、医療処方箋についての情報を受信し、受領者を生体認証し、そして受領者と医療処方箋とが互いに対応づけられ得るか否かを確認するよう構成され得る。
【０００８】
メモリ・ユニットは、医学的に同等であり得る処方薬を互いに対応づけるための第２のデータベースを格納するようにも構成され得る。
【０００９】
調合モジュールは、認証の成功裡の完了の後に、第１及び第２のデータベースの内容に基づいて調剤された処方薬を用意するよう構成され得る。
【００１０】
自動処方薬ディスペンサは、調剤された処方薬を摂取するための指示書を印刷するように構成され得るプリンタを備え得る。
【００１１】
自動処方薬ディスペンサは、医療従事メンバと医療従事メンバによって処方されることを認証され得た医療処方箋との間の対応づけを格納する医療従事メンバ信用証明書データベースを格納するためのメモリ・ユニットを備え得る。
【００１２】
自動処方薬ディスペンサは、医療処方箋の以前の利用に関する情報を格納するための医療処方箋使用データベースを格納するためのメモリ・ユニットを備え得る。
【００１３】
複数の調合モジュールは、処方薬を生成するために、流体を材料のうちの少なくとも１つと混合するよう構成され得る湿式調合モジュールを含み得る。
【００１４】
自動処方薬ディスペンサは、処方薬を生成するために、乾いた材料のみを利用するように構成され得る乾式調合モジュールを備え得る。
【００１５】
湿式混合及び調合モジュールは、１つ又は複数の粉末ディスペンサ、流体ディスペンサ、及びミキサを備え得る。
【００１６】
湿式混合及び調合モジュールは、充填プロセス中及び器の中身を空にするプロセス中に、器を移動させるためのマニピュレータを備え得る。
【００１７】
自動処方薬ディスペンサは、器の中身を計量するための重りを備え得る。
【００１８】
自動処方薬ディスペンサは、器を洗浄及び消毒するように構成され得る、洗浄及び消毒モジュールを備え得る。
【００１９】
１つ又は複数の粉末ディスペンサは、冷却ディスペンサ及び加熱ディスペンサを含み得る。
【００２０】
複数の調合モジュールは、種々の粉末を貯蔵するための異なる区画を備え得る粉末貯蔵及び混合モジュール、異なる種類の包装された処方薬を貯蔵するための複数の区画を備え得る包装薬剤ディスペンサ、並びに未包装薬剤用の複数の区画を備え得る未包装薬剤ディスペンサを含み得る。
【００２１】
自動処方薬ディスペンサは、空容器を格納するための格納装置を含む、空容器格納及び分配モジュールと、１つ又は複数の空容器を選択的に排出するための空容器分配機とを備え得る。
【００２２】
自動処方薬ディスペンサによって、要求された処方薬を提供する方法であって、自動処方薬ディスペンサの通信モジュールによって、受領者及び要求された処方薬に関係する、医療処方箋についての情報を受信するステップと、自動処方薬ディスペンサの認証モジュールによって、受領者及び医療処方箋のうちの少なくとも一方の認証を実行するステップと、自動処方薬ディスペンサの内部容器によって、処方薬及び処方薬を生成するための材料を貯蔵するステップと、認証の成功裡の完了の後に、自動処方薬ディスペンサの複数の調合モジュールのうちの少なくとも１つの調合モジュールによって、処方薬のうちの１つ又は材料のうちの少なくとも１つを使用して、要求された処方薬を調剤するステップと、（ｉｉ）要求された処方薬を分配容器に充填するステップと、自動処方薬ディスペンサのマニピュレータによって、分配容器を不正開封防止筐体の出口へ移動させるステップとを含む方法が提供され得る。ここで、複数の調合モジュール及び内部容器は、不正開封防止筐体内に密閉され得る。
【００２３】
認証モジュールは、少なくとも１つの生体認証ユニットを備え得る。
【００２４】
本方法は、自動処方薬ディスペンサのメモリ・ユニットに、受領者と医療処方箋とを対応づける第１のデータベースを格納するステップを含んでもよく、本方法は、認証モジュールによって、医療処方箋についての情報を受信するステップと、受領者を生体認証するステップと、受領者と医療処方箋とが互いに対応づけられ得るか否かを確認するステップとを含んでもよい。
【００２５】
本方法は、医学的に同等であり得る処方薬を互いに対応づけるための第２のデータベースをメモリ・ユニットに格納するステップを含み得る。
【００２６】
本方法は、少なくとも１つの調合モジュールによって、認証の成功裡の完了の後に、第１及び第２のデータベースの内容に基づいて、調剤された処方薬を用意するステップを含み得る。
【００２７】
本方法は、自動処方薬ディスペンサのプリンタによって、調剤された処方薬を摂取するための指示書を、分配容器上に印刷するステップを含み得る。
【００２８】
本方法は、自動処方薬ディスペンサのメモリ・ユニットに、医療従事メンバと医療従事メンバによって処方されることを認証され得た医療処方箋との間の対応づけを格納する医療従事メンバ信用証明書データベースを格納するステップを含み得る。
【００２９】
本方法は、自動処方薬ディスペンサのメモリ・ユニットに、医療処方箋の以前の利用に関する情報を格納するための医療処方箋使用データベースを格納するステップを含み得る。
【００３０】
本方法は、自動処方薬ディスペンサの湿式調合モジュールによって、処方薬を生成するために、流体を材料のうちの少なくとも１つと混合するステップを含み得る。
【００３１】
本方法は、乾式調合モジュールによって、処方薬を生成するために、乾いた材料のみを利用するステップを含み得る。
【００３２】
湿式調合モジュールは、１つ又は複数の粉末ディスペンサ、流体ディスペンサ、及びミキサを備え得る。
【００３３】
本方法は、マニピュレータによって、充填プロセス中及び器の中身を空にするプロセス中に、器を移動させるステップを含み得る。
【００３４】
本方法は、器の中身を計量するステップを含み得る。
【００３５】
本方法は、器を洗浄するステップ及び消毒するステップを含み得る。
【００３６】
１つ又は複数の粉末ディスペンサは、冷却ディスペンサ及び加熱ディスペンサを含み得る。
【００３７】
複数の調合モジュールは、異なる粉末を貯蔵するための、異なる区画を含む粉末貯蔵及び混合モジュール、異なる種類の包装された処方薬を貯蔵するための複数の区画を含み得る包装薬剤ディスペンサ、並びに未包装薬剤用の複数の区画を含み得る未包装薬剤ディスペンサを含み得る。
【００３８】
自動処方薬ディスペンサは、空容器を格納するための格納装置を含む、空容器格納及び分配モジュールと、１つ又は複数の空容器を選択的に排出するための空容器分配機とを含み得る。
【００３９】
本発明と見なされる主題は、本明細書の結論部分において特に指摘され、明確に特許請求されている。しかし、本発明は、その目的、特徴、及び利点と共に、構成及び動作方法の両方に関して、以下の添付図面と共に読み込まれるとき、以下の詳細な説明を参照することによって、最もよく理解され得る。
【図面の簡単な説明】
【００４０】
【図１】システム、自動処方薬ディスペンサ、装置、医療用センサ、人、及び医療従事メンバの実例を示す図である。
【図２】システム、自動処方薬ディスペンサ、装置、医療用センサ、人、及び医療従事メンバの実例を示す図である。
【図３】自動処方薬ディスペンサ、装置、医療用センサ、人、及び医療従事メンバの実例を示す図である。
【図４】自動処方薬ディスペンサの実例を示す図である。
【図５】自動処方薬ディスペンサの実例を示す図である。
【図６】自動処方薬ディスペンサの実例を示す図である。
【図７】自動処方薬ディスペンサの実例を示す図である。
【図８】自動処方薬ディスペンサの実例を示す図である。
【図９】自動処方薬ディスペンサのモジュールの実例を示す図である。
【図１０】方法を示す図である。
【発明を実施するための形態】
【００４１】
以下の詳細な説明において、本発明の完全な理解を可能にするために、多数の具体的な詳細を示す。ただし、本発明がこうした具体的な詳細なしに実施され得ることを、当業者は理解されよう。他の例では、本発明を曖昧にしないように、よく知られた方法、手順、及び構成要素を詳細に説明していない。
【００４２】
本発明と見なされる主題は、本明細書の結論部分において特に指摘され、明確に特許請求されている。しかし、本発明は、その目的、特徴、及び利点と共に、構成及び動作方法の両方に関して、添付図面と共に読み込まれるとき、以下の詳細な説明を参照することによって、最もよく理解され得る。
【００４３】
例示を簡単に且つ明確にするために、図に示す要素は必ずしも原寸に比例して描かれていないことが理解されよう。たとえば、要素のうちのいくつかの寸法は、明確にするために、他の要素に比べて誇張されている場合がある。さらに、適切と考えられる場合に、対応する要素又は類似の要素を示すために、参照番号が図面間で繰り返される場合がある。
【００４４】
本発明の例示の実施例は、その大部分が、当業者に知られている電子部品及び回路を使用して実施することができるので、本発明の根底にある概念の理解及び認識のために、そして本発明の教示を不明瞭にしない、又は本発明の教示から逸らさないために、詳細は、前述のように必要と考えられるもの以上には説明しないことにする。
【００４５】
本明細書における方法へのいかなる記述も、必要な変更を加えて、その方法を実行することができるシステムに適用されるべきである。
【００４６】
本明細書におけるシステムへのいかなる記述も、必要な変更を加えて、そのシステムによって実行することができる方法に適用されるべきである。
【００４７】
「及び／又は（ａｎｄ／ｏｒ）」という用語は、追加的又は代替的を意味する。
【００４８】
調合モジュールへのいかなる記述も、必要な変更を加えて、混合モジュール並びに混合及び調合モジュールに適用されるべきである。
【００４９】
認証モジュールへのいかなる記述も、必要な変更を加えて、検証モジュール、認証モジュール、並びに検証及び認証モジュールに適用されるべきである。
【００５０】
認証動作（認証すること）へのいかなる記述も、必要な変更を加えて、検証動作（検証すること）、認証動作（認証すること）、及び検証動作と認証動作との組合せに適用されるべきである。
【００５１】
人をリアルタイムで遠隔監視する方法及びシステムが提供され得る。
【００５２】
リアルタイムの遠隔監視を開始したい人は、医療従事メンバとの通信セッション（ビデオ会議での通話、或いは他の任意の文字でのセッション及び／若しくは音声でのセッション及び／若しくはデータでのセッションなど）を確立することができる。通信セッションを確立する、どんな既知の方法でも、適用することができる。
【００５３】
人は医療センタとの通信セッションを確立し、特定の医療従事メンバにルーティングされてもよい。通信セッションに、又は少なくとも通信セッションの様々な部分に、複数人の医療従事メンバが参加できることに留意されたい。
【００５４】
通信セッションは、任意の通信方式を含むことができ、任意の量のリンク、チャネルなどを使用して、任意の量の情報の交換を含むことができる。
【００５５】
通信セッション中に、本人（又は他の関係者）は、１つ又は複数の医療検査を実行するよう指示され得る。医療検査は、医療検査を実行することができ、また他の機能を実行することができる、医療装置又は多目的装置などの装置を使用することを伴うことができる。この装置は、１つ又は複数の医療用センサを備え付けた携帯電話、１つ又は複数の医療用センサが備え付けられている、埋め込まれ得る、又はリンクされ得る任意のコンピュータ処理される装置（携帯型又は固定型）などであり、本人（又は他の関係者）がアクセス可能である。リンクの形成は、有線、無線、近距離通信、長距離通信など、任意の種類の通信の確立を含むことができる。たとえば、ＵＳＢ、ＵＡＲＴ、Ｉ２Ｃ、ＳＰ１、ブルートゥース（登録商標）、ＢＬＥ、ＷｉＦｉ（登録商標）、ＲＦ、赤外線などである）
【００５６】
医療検査は、ＥＣＧ監視、ＰＰＧ監視、酸素読み取り、ＣＯ２読み取り、体温読み取り、血圧読み取り、本人の１つ又は複数の器官の画像（又はビデオ）取り込み（たとえば、ノイズの管（ｎｏｉｓｅ  ｃａｎａｌ）、あざ）、呼吸評価、又は任意の生態情報、本人の任意の動きなどの任意の監視のうちの、少なくとも１つを含むことができる。
【００５７】
医療検査中に使用される任意のセンサは、本人、他の関係者、及び／又は装置の制御下で、自律的に動作することができること、装置から電力を受け取ることができること、他の電源から電力を受け取ることができること、などに留意されたい。
【００５８】
１つ又は複数の医療検査の結果は、通信セッションを介して、たとえそれが別のリンク又はチャネルを介して送信されたとしても、医療従事メンバに送信され得る。
【００５９】
本人及び／又は他の関係者は、本人の病状、本人又は他の関係者によって感知された症状などに関する質問に答えるように（通信セッション中に）要求され得る。
【００６０】
本人及び／又は装置と医療従事メンバとの間で、どんな情報も交換され得る。医療従事メンバは、本人又は他の関係者に、追加の医療検査を実行すること、医療検査を繰り返すことなどを、要求することができる。
【００６１】
医療従事メンバは、本人が治療を受けるべきか否か、また受けるとしても、どんな医療処置が適切かを判断することができる。
【００６２】
医療従事メンバは、通信セッションの結果（通信セッション中に交換されたデータ）、医療検査の結果、及び医療従事メンバの結論に関する情報を含み得るレポートを準備することができる。
【００６３】
レポートは、このレポートが医療従事メンバによって作成されたことを保証することになる認証情報を含むことができる。
【００６４】
レポートは、その人をレポートのただ一人の対象者として識別する、個人識別子も含むことができる。
【００６５】
適切な医療処置が処方薬の摂取を伴うとき、レポートは、処方薬の量、投与量、及び使用方法を特定する医療処方箋を含むことができる。或いは医療処方箋は、レポートから分離されてもよい。
【００６６】
レポートからの分離が行われる場合、医療処方箋は、個人識別子及び認証情報を含むべきである。
【００６７】
個人識別子は、固定値（パスポート番号、運転免許証番号など）を含んでもよく、時間と共に変化してもよく、予め定義された時間枠の間有効であってもよく、ランダム又は擬似ランダムなやり方で選択されてもよく、バーコードなどであってもよい。
【００６８】
レポート及び／又は医療処方箋は、たとえば電子メール、ＳＭＳ、ＷｈａｔｓＡｐｐ又は他の任意のアプリケーション若しくはソフトウェアを使用して、本人の任意の装置（又は本人がアクセス可能な装置）に送信することができる。
【００６９】
レポートを本人に提供することができ、個人識別子及び／又は認証情報を生成及び／又は受信することができる、１つ又は複数のコンピュータ（クラウド・コンピュータ処理される環境内に位置する１つ又は複数のサーバなど）を備えることができるシステムが提供され得る。
【００７０】
以下を備えることができる自動処方薬ディスペンサが提供され得る。
ａ．受領者及び要求された処方薬に関係する、医療処方箋についての情報を受信するように構成される通信モジュール。
ｂ．受領者及び医療処方箋のうちの少なくとも一方の認証を、実行するように構成される認証モジュール。
ｃ．処方薬を生成するために、処方薬（包装された、及び／又は未包装の）及び材料（粉末、流体など）を貯蔵するように構成される内部容器。この材料を使用して、貯蔵されている処方薬に含まれていない、他の少なくとも１つの処方薬を提供する、且つ／又は自動処方薬ディスペンサに貯蔵される（包装された、又は未包装の）処方薬のうちの１つを提供することができる。たとえば、自動処方薬ディスペンサに貯蔵される処方薬のうちの１つの提供が行われる場合、自動処方薬ディスペンサは、最初にその材料を使用して処方薬を製造し、包装された、又は未包装薬剤をバックアップとして使用することができる。
ｄ．認証の成功裡の完了の後に、処方薬のうちの１つ又は材料のうちの少なくとも１つを使用して要求された処方薬を調剤し、要求された処方薬を分配容器に充填するように構成される、複数の混合及び調合モジュール。
ｅ．不正開封防止筐体。不正開封防止筐体は、内部容器、混合及び／又は調合モジュール、並びに分配容器への不正アクセスを防ぐように構成される。
ｆ．分配容器を、不正開封防止筐体の出口へ移動させるように構成されるマニピュレータ。
【００７１】
自動処方薬ディスペンサは、遠隔地に置くことができ、包装された処方薬、未包装の処方薬、処方薬を提供するために混合される粉末、処方薬を提供するために流体と混合される１つ又は複数種の粉末といった様々な形式で貯蔵され得る、広範囲の処方薬を提供するサービスができる。薬剤を製造するための様々なやり方により、広範囲の処方薬に対応することが可能である。これは、自動処方薬ディスペンサが遠隔地にあるとき、そして自動処方薬ディスペンサを補充することが容易ではないときに、特に有益である。
【００７２】
第１の実例によれば、自動処方薬ディスペンサは、個人の身分証明書を検証することができ、（自立的に、及び／又はシステムを使用することによって）個人の身元に基づいて、その個人に関係する任意の公開された（提供されていない）医療処方箋を検索することができる。
【００７３】
検証は、任意の生体認証又は非生体認証の検証手法を含むことができる。
【００７４】
第２の実例によれば、自動処方薬ディスペンサは、医療処方箋に基づいて動作することができる。
【００７５】
自動処方薬ディスペンサは、個人識別子及び／又は認証情報を読み取り又は他の方法で検知し、（たとえば、システムにクエリを送信し、システムから応答を受信することによって、又はシステムにクエリを送信せずに）、以下のうちの少なくとも１つを判断するよう構成され得る。
ａ．個人識別子によって識別された人が、医療処方箋に記載された処方薬を既に摂取したか否か（その人がただ１つの医療処方箋を、複数回使用するのを防ぐことになる）。
ｂ．認証情報によって示される、医療従事メンバが処方箋の提供を認可されているかどうかの確認（これは、第１及び第２の実例に適用可能であり得る）。
ｃ．個人の身元の検証（たとえば、その人の写真を撮ること、任意の生体認証の検証プロセスを実行すること、予め定義された検証コードの入力をその人に要求する、音声分析を実行するなど）。これは、第１及び第２の実例に適用可能であり得る）。
ｄ．本人によって提供された医療処方箋が、医療従事メンバによって提供された医療処方箋と同じものであることの検証。これは、第１及び第２の実例に適用可能であり得る）。
【００７６】
自動処方薬ディスペンサによって得られたどんな生体認証情報（又はどんな検証情報）も、システムに送信される前に、暗号化又は変形され得る。
【００７７】
自動処方薬ディスペンサは、不正開封防止筐体内に固定され得る１つ又は複数の容器、混合要素を備えることができ、自己エネルギー供給されてもよく、１つ又は複数の電源を備えることができ、そして１つ又は複数の冷却要素及び／又は加熱要素を備えることができる。
【００７８】
自動処方薬ディスペンサが、処方薬を供給することを決定したとき、自動処方薬ディスペンサは、その人に供給するつもりである処方薬をその人に提示する、又はその人に提供され得る１つ又は複数の代替処方薬（ジェネリック又は非ジェネリック処方薬など）を提示することができる。次いでその人は、こうした処方薬のうちの１つを選択するよう要求され得る。
【００７９】
自動処方薬ディスペンサは、供給される処方薬の摂取に関する指示書を印刷することができ、列挙された量の錠剤を１つ又は複数の容器に充填することができ、容器に指示書を添付することができ、他の任意のやり方でその人に指示書を提供することができ、そして処方薬がその人に供給されたことをシステムに通知することができる。
【００８０】
自動処方薬ディスペンサは、様々な処方薬を含む容器を備えることができ、１つ又は複数の容器を人に提供することができ、医療処方箋に従って、１つ又は複数のより小さい容器に処方薬を充填することができる。
【００８１】
自動処方薬ディスペンサは、処方薬を粉末の形態で貯蔵することができ、粉末を液体と混合して、必要な濃度の処方薬を人に提供することができる。
【００８２】
自動処方薬ディスペンサは、人が処方薬に対して支払いすることを可能にする、支払いモジュールを備えることができる。
【００８３】
図１において、ネットワーク３０は、システム２０と、自動処方薬ディスペンサ１００と、医療従事メンバ１３のコンピュータ１４と、個人１１の装置（携帯電話１２など）との間に結合される。携帯電話は、医療用センサ（ＭＤ：ｍｅｄｉｃａｌ  ｓｅｎｓｏｒ）１７を含み、また外部の医療用センサ１８にも結合される。
【００８４】
システム２０は、サーバ（２３、２５）、並びに医療従事メンバ信用証明書ＤＢ２２（医療従事メンバが、医療処方箋を処方するための認証がされたか否かを確認するため）、認証及び／又は検証ＤＢ２４（個人、医療従事メンバ、及び／又は医療処方箋を認証するため）、医療処方箋使用ＤＢ２６（医療処方箋が既に利用されたか否かを確認するため）、同等処方薬ＤＢ２８（医療処方箋に列挙された処方薬に対する代替処方薬を提案するため）などの、様々なデータベースを格納する、記憶ユニット２１を備えるよう図示されている。ＤＢは、データベースを意味する。
【００８５】
自動処方薬ディスペンサ１００は、以下を備えるよう図示されている。
ａ．処方薬の内部容器１０１（この内部容器で、処方薬及び／又は処方薬を生成するための材料を貯蔵する）。個人に提供されるものではない。
ｂ．医療処方箋に従って処方薬を調剤するための、混合及び／又は調合モジュール１２０。
ｃ．処方薬の分配容器１３０（分配される−こうした容器が個人に提供されるという意味で）。
ｄ．認証及び／又は検証モジュール１４０（個人及び／又は医療処方箋を認証及び／又は検証するため）。生体認証情報を取得するための、１つ又は複数のデータベース及び／又はインタフェース（指紋読取装置、音声記録装置、カメラ、バーコード・リーダなど）を備えることができる。
ｅ．薬剤摂取及び不正開封防止筐体のための指示書を印刷するプリンタ１５０。
ｆ．処方薬の内部容器１０１、混合及び／又は調合モジュール１２０、並びに分配される前の、処方薬の任意の分配容器を少なくとも密閉する、不正開封防止筐体１６０。不正開封防止筐体は、鋼、他の様々な金属、コンクリート、硬質ポリマーなど、耐久性のある材料で作られ得る。
ｇ．前述の構成要素の動作を制御するコントローラ１７０。
ｈ．通信モジュール１８０。
【００８６】
自動処方薬ディスペンサ１００は、電源ユニット（電気式、太陽電池式、発電機式）、コマンド及び／又は情報などを格納するメモリ・ユニットも備えることができる。
【００８７】
認証及び／又は検証は、自動処方薬ディスペンサとシステム２０との組合せで、自動処方薬ディスペンサ自体によって実行することができる。
【００８８】
システム及び自動処方薬ディスペンサは、互いに通信するための、且つシステム及び／又は自動処方薬ディスペンサに結合され得る任意のコンピュータ又は装置と通信するための、通信モジュールを備える。
【００８９】
図２は、医療従事メンバ信用証明書ＤＢ２２、認証及び／又は検証ＤＢ２４、医療処方箋使用ＤＢ２６、並びに同等処方薬ＤＢ２８などのデータベースを格納する、メモリ・モジュール１９０をさらに備える、自動処方薬ディスペンサ１００を示す。メモリ・モジュール１９０は、こうしたデータベースの一部だけ、及び／若しくはより多くのデータベース、及び／若しくは他のデータベースを、格納することができる。
【００９０】
自動処方薬ディスペンサ１００からこうしたデータベースへ直接アクセスすることにより、自動処方薬ディスペンサ１００は、システム２０のいくつかの機能又はすべての機能を実行することが可能になる。またこれにより、自動処方薬ディスペンサ１００は、システム２０との通信が機能しないときでさえも、薬剤を供給することができるので、冗長性が増す。
【００９１】
図３は、ネットワーク３０を介して、携帯電話１２及びコンピュータ１４に結合される、自動処方薬ディスペンサ１００を示す。システム２０は、自動処方薬ディスペンサ１００に結合されていない。自動処方薬ディスペンサ１００は、自律的に動作するように構成される。
【００９２】
図３において、自動処方薬ディスペンサ１００は、以下を備える。
ａ．処方薬の内部容器１０１（この内部容器で、処方薬及び／又は処方薬を生成するための材料を貯蔵する）。個人に提供されるものではない。
ｂ．医療処方箋に従って処方薬を調剤するための、混合及び／又は調合モジュール１２０。
ｃ．処方薬の分配容器１３０（分配される−こうした容器が個人に提供されるという意味で）。
ｄ．認証及び／又は検証モジュール１４０（個人及び／又は医療処方箋を認証及び／又は検証するため）。生体認証情報を取得するための、１つ又は複数のデータベース及び／又はインタフェース（指紋読取装置、音声記録装置、カメラ、バーコード・リーダなど）を備えることができる。
ｅ．薬剤摂取及び不正開封防止筐体のための指示書を印刷するプリンタ１５０。
ｆ．処方薬の内部容器１０１、混合及び／又は調合モジュール１２０、並びに分配される前の、処方薬の任意の分配容器を少なくとも密閉する、不正開封防止筐体１６０。
ｇ．前述の構成要素の動作を制御するコントローラ１７０。
ｈ．通信モジュール１８０。
ｉ．医療従事メンバ信用証明書ＤＢ２２、認証及び／又は検証ＤＢ２４、医療処方箋使用ＤＢ２６、並びに同等処方薬ＤＢ２８などのデータベースを格納する、メモリ・モジュール１９０。メモリ・モジュール１９０は、こうしたデータベースの一部だけ、及び／又はより多くのデータベース、及び／又は他のデータベースを、格納することができる。
【００９３】
図３において、自動処方薬ディスペンサ１００は、以下のうちの少なくとも１つを実行することができる。
ａ．個人識別子によって識別された個人が、医療処方箋に記載された処方薬を既に摂取したか否かの確認（その個人が、ただ１つの医療処方箋を複数回使用するのを防ぐことになる）。これは、関係し得る。
ｂ．認証情報によって示される医療従事メンバが、処方箋の提供を認可されているかどうかの確認。
ｃ．個人の身元の検証（たとえば、その人の写真を撮ること、任意の生体認証の検証プロセスを実行すること、予め定義された検証コードの入力をその人に要求する、音声分析を実行するなど）。これは、第１及び第２の実例に適用可能であり得る）。
ｄ．本人によって提供された医療処方箋が、医療従事メンバによって提供された医療処方箋と同じものであることの検証。これは、第１及び第２の実例に適用可能であり得る）。
ｅ．検証及び／又は認証に成功した場合、処方薬の生成及び供給。
【００９４】
図４は、自動処方薬ディスペンサ１００の前面パネル１６１を示す。前面パネル１６１は、不正開封防止筐体１６０の一部である。
【００９５】
前面パネル１６１は、以下のうちの少なくとも１つを備える。
ａ．カメラ１６２。
ｂ．タッチ画面１６３。
ｃ．１つ又は複数のマイク及び１つ又は複数のスピーカを備える音声ユニット１６４。
ｄ．バーコード・リーダ１６５。
ｅ．生体認証ハンド・リーダ及び／又は指紋スキャナなどの生体認証ユニット１６６。
ｆ．キーボード１６７。
ｇ．処方薬を含む分配容器を排出するための、処方薬出口１６８。
ｈ．クレジット・カード読取機１６９。図４は、クレジット・カード読取機のスリットを示している。
【００９６】
カメラ１６２及び／又は生体認証ユニット１６６及び／又はバーコード・リーダ１６５は、認証及び／又は検証モジュール１４０に属することができる。
【００９７】
認証及び／又は検証は、少なくとも部分的に、ユーザ装置、並びにユーザ装置と自動処方薬ディスペンサ１００との間の通信の、認証及び／又は検証機能に基づき得る。たとえばユーザは、スマートフォン（又は他の任意の通信装置）を有しているかもしれず、このユーザ装置は、ユーザの指紋を取得し、指紋に関する情報を自動処方薬ディスペンサ１００に送信することができる、指紋スキャナを備えている可能性がある。
【００９８】
カメラ１６２及び／又はタッチ画面１６３及び／又は音声ユニット１６４及び／又はキーボード１６７は、自動処方薬ディスペンサ１００のユーザとインタフェースで連結する、マン・マシン・インタフェースに属することができる。他の、及び／又は追加のマン・マシン・インタフェースを提供することができる。たとえば、ユーザと自動処方薬ディスペンサ１００との間の相互作用は、ユーザとユーザ装置との間の相互作用、及びユーザ装置と通信モジュール１８０との間の通信を含むことができる。たとえば、ユーザはスマートフォン（又は他の任意の通信装置）を有しているかもしれず、ユーザはタッチ画面、キーボード、音声などを使用して、スマートフォンと相互作用することができ、スマートフォンは、この相互作用に関する情報を、自動処方薬ディスペンサ１００に伝達することになる。
【００９９】
図５は、自動処方薬ディスペンサ１００の実例を示す。この図は、自動処方薬ディスペンサ１００の「乾式」構成を示しており、そこで自動処方薬ディスペンサ１００は、粉末、包装された、又は未包装薬剤（たとえば錠剤）などの乾いた材料を貯蔵し、管理している。自動処方薬ディスペンサ１００はまた、流体を扱う、すなわち乾いた中身と流体を混合することを伴う、処方薬を調剤することができることに留意されたい。
【０１００】
自動処方薬ディスペンサ１００は、以下を備える。
ａ．空容器１１０を格納するための格納装置１１１、及び１つ又は複数の空容器を選択的に排出するための空容器分配機１１２を備える、空容器格納及び分配モジュール。一度排出された空容器は、分配容器と見なされる。内部容器格納及び分配モジュールの内部容器は、同じ形状及びサイズの空容器を格納することができる。或いは、内部容器格納及び分配モジュールは、形状及び／又はサイズによって互いに異なり得る、空容器を格納することができる。互いに異なる空のボトルは、格納装置の異なる区画に格納され得る。
ｂ．１つ又は複数の異なる処方薬を提供するために混合され得る種々の粉末を貯蔵するための、異なる区画２０１、２０２、２０３及び２０４を備える粉末貯蔵及び混合モジュール１２１。様々な処方薬を提供するため、種々の粉末の異なる組合せを混合することができる。各区画は、その区画からの１つ又は複数種の粉末の制御された量を排出するための分配モジュールを備えることができる（又はインタフェースで連結することができる）。粉末貯蔵及び混合モジュール１２１は、粉末を混合し、その混合物を分配容器に排出するための混合及び分配モジュール２０５も含む。
ｃ．包装薬剤ディスペンサ２１１は、ブリスタ包装された処方薬などだがそれに限定されない、異なる種類の包装された処方薬を貯蔵するための、複数の区画２１１、２１２、及び２１３を備える。包装薬剤ディスペンサは、１つ又は複数の選択された包装薬剤を、分配容器に分配するための分配機２１４も備える。
ｄ．未包装薬剤ディスペンサ１２３は、錠剤又は他の種類の未包装薬剤を格納するための、複数の区画２２１、２２２、２２３、２２４、及び２２５を備える。各区画は、容器からの制御された量の粉末を排出するための分配機を備える。未包装薬剤ディスペンサ１２３は、制御された量の未包装薬剤を排出するための分配機も含む。図４では、分配機は、中間要素２２６に沿って摺動する摺動ヘッド２２７を備え、それによってどの未包装薬剤を調合するかを選択する。
ｅ．容器カバー２４０を格納し、容器カバーを排出するよう構成された容器カバー・ディスペンサ１２４。容器カバー・ディスペンサは、容器カバーを容器に固定するための容器カバー固定具を備えることができる。或いは、自動処方薬ディスペンサ１００は、容器カバーを容器カバー・ディスペンサから受け取り、容器カバーを分配容器に固定するための蓋取付ユニット（図示せず）を備えることができる。或いは、蓋取付ユニットは、容器カバーを容器カバー・ディスペンサから受け取り、容器カバーを分配容器に固定することができる。自動処方薬ディスペンサ１００は、容器カバーを使用せずに分配容器を密封するための、及び／又は分配容器が蓋を取り付けられる前若しくは後に分配容器を密封するための密封ユニットを備えることができる。
ｆ．分配容器上に情報を印刷するためのプリンタ１５０。プリンタ１５０は、２次元（２Ｄ：ｔｗｏ−ｄｉｍｅｎｓｉｏｎａｌ）又は３次元（３Ｄ：ｔｈｒｅｅ−ｄｉｍｅｎｓｉｏｎａｌ）プリンタであり得る。プリンタは、分配容器上にバーコードを印刷してもしなくてもよい。印刷された情報は、分配容器の中身（処方薬の名前、処方薬の量、投与量など）及び／又は摂取指示書などを含むことができる。現在の図では、分配容器の側壁をプリンタに晒すために、分配容器をプリンタ１５０に向かって傾ける（又はさもなければ移動させる）ために使用され得る、追加のマニピュレータ１５２が示されている。
ｇ．ボトル上に印刷されたバーコードを読み取るための、バーコード・リーダ１４１。読み込まれたバーコードは、品質管理目的などで、意図されたバーコードと比較され得る。
ｈ．充填プロセス中の分配容器を、処方薬出口１６８に向かって運搬するためのコンベヤ２５０。コンベヤは、分配容器に挿入される処方薬の量を制御するために、充填プロセス中に分配容器を計量するための重りを備えることができる。視覚センサ、音響センサ、任意のボリューム・センサ及び／又は（容器の振動を監視するための）振動センサなど、他の任意の監視機構が、充填プロセスを制御するために適用され得る。
【０１０１】
容器カバー・ディスペンサ１２４、未包装薬剤ディスペンサ１２３、包装薬剤ディスペンサ１２２、粉末貯蔵及び混合モジュール１２１、並びに空容器格納及び分配モジュールのうちのどの１つにも、任意の数（１つ又は複数）の容器があり得る。
【０１０２】
中身（空容器、粉末、包装された処方薬、未包装の処方薬など）の放出（又は排出）を制御するための任意の機構を使用して、中身を分配容器に調合することができる。
【０１０３】
混合物がユーザに供給される直前に粉末を混合することにより、混合物全体の品質を向上させることができる。
【０１０４】
容器カバー・ディスペンサ１２４、未包装薬剤ディスペンサ１２３、包装薬剤ディスペンサ１２２、粉末貯蔵及び混合モジュール１２１、並びに空容器格納及び分配モジュールのそれぞれ１つ（又は少なくともいくつか）は、その中身に湿度及び／又は熱及び／又は光などの周囲条件が与える影響を防止（又は少なくとも低減）し、それによってその中身の寿命を延ばすように構成され得る。これは、未包装薬剤ディスペンサ１２３並びに粉末貯蔵及び混合モジュール１２１の場合に、特に有益であり得る。周囲条件の影響の防止又は低減は、温度制御（冷却及び／又は加熱要素）、区画の密封、吸湿要素、フィルタなどのうちの少なくとも１つを使用することによって達成することができる。
【０１０５】
追加的又は代替的に、自動処方薬ディスペンサ１００は、密封又は半密封開口、温度制御（冷却及び／又は加熱要素）、吸湿要素、フィルタなどを使用して、自動処方薬ディスペンサ自体の中の環境を制御するよう構成され得る。
【０１０６】
コンベヤ２５０は、分配容器を受け取って自動処方薬ディスペンサ１００の異なる他の構成要素に向かって移動させるマニピュレータの、単なる非限定的な実例である。他のどんなマニピュレータでも、使用することができる。かかるマニピュレータの非限定的な実例には、非線形コンベヤ、ロボット・アームなどが含まれる。
【０１０７】
自動処方薬ディスペンサ１００内のユニットの順序は、図５に示す順序とは異なってもよい。たとえば、粉末貯蔵及び混合モジュール１２１が、未包装薬剤ディスペンサ１２３の後に続く、などでもよい。
【０１０８】
自動処方薬ディスペンサ１００の形状は、自動処方薬ディスペンサ１００を受け入れると予想される場所に基づいて、決定することができる。狭く細長い場所は、線形のコンベヤに適合することができる。
【０１０９】
容器カバー・ディスペンサ１２４、未包装薬剤ディスペンサ１２３、包装薬剤ディスペンサ１２２、粉末貯蔵及び混合モジュール１２１、並びに空容器格納及び分配モジュールのそれぞれ１つ（又は少なくともいくつか）は、ユニットが満杯であること、分配プロセスの進捗、すなわち中身の排出の進捗などのうちの少なくとも１つを監視するためのモニタを備えることができる。監視は、どんな種類のセンサを使ってでも達成され得る。
【０１１０】
図５は、充填プロセスの様々な段階を示しており、分配容器は以下の位置に置かれる。
ａ．Ａ−空容器格納及び分配モジュールから排出された後。
ｂ．Ｂ−粉末貯蔵及び混合モジュール１２１から、１つ又は複数種の粉末（混合物）を受け取る。
ｃ．Ｃ−容器カバー・ディスペンサ１２４から、カバーを受け取る。
ｄ．Ｄ−プリンタ１５０から、印刷された中身を受け取る。
ｅ．Ｅ−バーコード・リーダ１４１によって、そのバーコードを読み取らせる。
【０１１１】
図６は、別の充填プロセスの様々な段階を示しており、分配容器は以下の位置に置かれる。
ａ．Ａ−空容器格納及び分配モジュールから排出された後。
ｂ．Ｂ−未包装薬剤ディスペンサ１２３から、未包装薬剤を受け取る。
ｃ．Ｃ−容器カバー・ディスペンサ１２４から、カバーを受け取る。
ｄ．Ｄ−プリンタ１５０から、印刷された中身を受け取る。
ｅ．Ｅ−バーコード・リーダ１４１によって、そのバーコードを読み取らせる。
【０１１２】
図７は、別の充填プロセスの様々な段階を示しており、分配容器は以下の位置に置かれる。
ａ．Ａ−空容器格納及び分配モジュールから排出された後。
ｂ．Ｂ−包装薬剤ディスペンサ１２２から、包装された薬剤を受け取る。
ｃ．Ｃ−容器カバー・ディスペンサ１２４から、カバーを受け取る。
ｄ．Ｄ−プリンタ１５０から、印刷された中身を受け取る。
ｅ．Ｅ−バーコード・リーダ１４１によって、そのバーコードを読み取らせる。
【０１１３】
図８は、ロボット・アームであるマニピュレータを備える、自動処方薬ディスペンサ１００を示す。マニピュレータは、複数のロボット・アーム、１つ又は複数のロボット・アームと１つ又は複数のコンベヤとの組合せなどを含むことができることに留意されたい。
【０１１４】
図９は、湿式混合及び調合モジュール１０５の実例を示す。湿式混合及び調合モジュール１０５は、図５の自動処方薬ディスペンサ１００内に備えられ得る。
【０１１５】
このモジュールは、乾いた材料及び流体を貯蔵及び管理するという意味で湿式である。
【０１１６】
湿式混合及び／又は調合モジュール１２０は、以下を含む。
ａ．冷却ディスペンサ３１０及び加熱ディスペンサ３２０などの、１つ又は複数の粉末ディスペンサ。冷却粉末ディスペンサと加熱粉末ディスペンサとは、互いに組み合わされ得る。
ｂ．１つ又は複数の粉末ディスペンサから１つ又は複数種の粉末を既に受け取った器２６０に、流体を供給するための流体ディスペンサ３４０。代替的に、１つ又は複数種の粉末が供給される前に、流体が器に供給され得る。流体は、加熱されてもよく、且つ／又は冷却されてもよい。流体は、滅菌水などであり得る。
ｃ．器２６０内で、流体と１つ又は複数種の粉末とを混合するためのミキサ３５０。ミキサ３５０はまた、流体及び／又は粉末を加熱又は冷却することができる。
ｄ．充填プロセス中に器２６０を運搬するためのコンベヤ２５０。器を計量し、器に投入された１つ又は複数種の粉末及び／又は流体の重量を計測することによって、充填プロセスを制御するための重り２６５を設けることができる。
ｅ．器及び／又はコンベヤを洗浄及び／又は消毒するための、洗浄及び消毒モジュール３６０。
ｆ．排水路３７０。
ｇ．器２６０の中身を分配容器（図示せず）に排出するための、空にする機構３８０。たとえば、器から中身を吸い込み、器を上下逆にし、空にする機構を介して、器の中身をモジュール１０５の下に置かれた分配容器（図示せず）に流させる、任意の空にするプロセスが提供され得る。
【０１１７】
冷却ディスペンサ３１０は、１つ又は複数の異なる処方薬を提供するために混合され得る種々の粉末を貯蔵するための、異なる区画３１１、３１２、３１３、３１４及び３１５を備える。
【０１１８】
代替的に、冷却ディスペンサ３１０は、一度に１つ類の粉末しか排出することができない。そして、混合機能を有していない。
【０１１９】
様々な処方薬を提供するため、種々の粉末の異なる組合せを混合することができる。各区画は、その区画からの、制御された量の１つ又は複数種の粉末を排出するための分配モジュールを備えることができる（又はインタフェースで連結することができる）。
【０１２０】
加熱ディスペンサ３２０は、１つ又は複数の異なる処方薬を提供するために混合され得る種々の粉末を貯蔵するための、異なる区画３２１、３２２、３２３、３２４及び３２５を備える。
【０１２１】
様々な処方薬を提供するため、種々の粉末の異なる組合せを混合することができる。
【０１２２】
各区画は、その区画からの、制御された量の１つ又は複数種の粉末を排出するための分配モジュールを備えることができる（又はインタフェースで連結することができる）。代替的に、加熱ディスペンサ３２０は、一度に１つ類の粉末しか排出することができない。そして、混合機能を有していない。
【０１２３】
加熱ディスペンサ３２０は１つ又は複数の加熱要素を備える一方、冷却ディスペンサは１つ又は複数の冷却要素を備える。各ディスペンサ（３１０、３２０）内の区画の温度は、同じか、又は独立して制御されてもよい。
【０１２４】
図１０は、方法１０００の実例を示す。
【０１２５】
方法１０００は、以下を含み得る。
ａ．自動処方薬ディスペンサの通信モジュールによって、受領者及び要求された処方薬に関係する、医療処方箋についての情報を受信するステップ。Ｓ１０１０。
ｂ．自動処方薬ディスペンサの認証モジュールによって、受領者及び医療処方箋のうちの少なくとも一方の認証を実行するステップ。Ｓ１０２０。
ｃ．自動処方薬ディスペンサの内部容器を使って、処方薬及び処方薬を生成するための材料を貯蔵するステップ。Ｓ１０３０。
ｄ．認証の成功裡の完了の後に、自動処方薬ディスペンサの複数の調合モジュールのうちの少なくとも１つの調合モジュールによって、処方薬のうちの１つ又は材料のうちの少なくとも１つを使用して要求された処方薬を調剤するステップ、及び要求された処方薬を分配容器に充填するステップ。Ｓ１０４０。
ｅ．自動処方薬ディスペンサのマニピュレータによって、分配容器を不正開封防止筐体の出口へ移動させるステップ。Ｓ１０５０。
複数の調合モジュール及び複数の内部容器は、不正開封防止筐体内に密閉され得る。
【０１２６】
ステップ１０３０は、方法１０００の他のステップと並行して実行される。
【０１２７】
ステップ１０４０及びステップ１０５０は、並行して実行される。すなわち移動は、充填プロセス中に行われる。
【０１２８】
方法１０００は、図１〜図９に示す自動処方薬ディスペンサのいずれかが動作することを伴い得る。
【０１２９】
方法１０００は、モジュール１１１、１１２、１２１、１２２、１２３、１２４、１４１、１５０、１５２、２５０、２６０、３１０、３２０、３４０、３５０、３６０、３７０及び３８０のうちの少なくとも１つを利用するステップを含み得る。
【０１３０】
方法１０００は、以下のうちの少なくとも１つを含み得る。
ａ．少なくとも１つの生体認証ユニットによって、認証を実行するステップ。
ｂ．自動処方薬ディスペンサのメモリ・ユニットに、受領者と医療処方箋とを対応づける第１のデータベースを格納するステップ。
ｃ．認証モジュールによって、医療処方箋についての情報を受信するステップ、受領者を生体認証するステップ、及び受領者と医療処方箋とが互いに対応づけられるか否かを確認するステップ。
ｄ．医学的に同等であり得る処方薬を互いに対応づけるための、第２のデータベースを、メモリ・ユニットに格納するステップ。
ｅ．少なくとも１つの調合モジュールによって、認証の成功裡の完了の後に、第１及び第２のデータベースの内容に基づいて調剤された処方薬を、用意するステップ。それによって、要求された処方薬は、その同等のものと置き換えられ得る。
ｆ．自動処方薬ディスペンサのプリンタによって、調剤された処方薬を摂取するための指示書を、分配容器上に印刷するステップ。
ｇ．自動処方薬ディスペンサのメモリ・ユニットに、医療従事メンバと医療従事メンバによって処方されることを認証された医療処方箋との間の対応づけを格納する医療従事メンバ信用証明書データベースを格納するステップ。
ｈ．自動処方薬ディスペンサのメモリ・ユニットに、医療処方箋の以前の利用に関する情報を格納するための、医療処方箋使用データベースを格納するステップ。
ｉ．自動処方薬ディスペンサの湿式調合モジュールによって、処方薬を生成するために、流体を材料のうちの少なくとも１つと混合するステップ。
ｊ．乾式調合モジュールによって、処方薬を生成するために、乾いた材料のみを利用するステップ。
ｋ．１つ又は複数の粉末ディスペンサ、流体ディスペンサ、及びミキサを備える、乾式調合モジュールを使用するステップ。
ｌ．マニピュレータによって、充填プロセス中及び器の中身を空にするプロセス中に、器を移動させるステップ。
ｍ．器の中身を計量するステップ。
ｎ．器を洗浄及び／又は消毒するステップ。
ｏ．冷却ディスペンサ及び加熱ディスペンサのうちの少なくとも一方の中に、粉末を貯蔵するステップ。
ｐ．粉末貯蔵及び混合モジュールの異なる区画内に異なる粉末を貯蔵するステップ。
ｑ．包装薬剤ディスペンサ内に、異なる種類の包装された処方薬を貯蔵するステップ。
ｒ．未包装薬剤ディスペンサ内に、未包装薬剤を貯蔵するステップ。
ｓ．空容器格納及び分配モジュール内の空容器を格納するステップ、及び空容器分配機によって、１つ又は複数の空容器を選択的に排出するステップ。
【０１３１】
「含む（ｃｏｍｐｒｉｓｉｎｇ）」又は「有する（ｈａｖｉｎｇ）」という用語へのいかなる言及もまた、「本質的に〜からなる」の「なる」に言及するものとして解釈されるべきである。たとえば、用語のそれぞれにおいて、特定のステップを含む方法は、追加のステップを含むことができ、特定のステップに限定することができ、又は方法の基本的及び新規の特徴に実質的に影響を与えない追加のステップを含むことができる。
【０１３２】
本発明はまた、コンピュータ・システムなどのプログラム可能な装置上で実行されるときに、本発明による方法のステップを実行するための、又はプログラム可能な装置が、本発明による装置又はシステムの機能を実行することを可能にするためのコード部分を少なくとも含む、コンピュータ・システム上で実行するためのコンピュータ・プログラムで実施され得る。コンピュータ・プログラムにより、記憶システムは、ディスク・ドライブ群にディスク・ドライブを割り当てることができる。
【０１３３】
コンピュータ・プログラムは、特定のアプリケーション・プログラム及び／又はオペレーティング・システムなどの、命令のリストである。コンピュータ・プログラムは、たとえば、サブルーチン、機能、手順、オブジェクト・メソッド、オブジェクトの実装、実行可能なアプリケーション、アプレット、サーブレット、ソース・コード、オブジェクト・コード、共有ライブラリ／動的ロード・ライブラリ、及び／又はコンピュータ・システム上で実行するよう設計された、他の命令シーケンスのうちの、１つ又は複数を含むことができる。
【０１３４】
コンピュータ・プログラムは、非一時的なコンピュータ可読媒体の内部に格納され得る。コンピュータ・プログラムの全部又は一部は、情報処理システムに永久的に、取り外し可能に、又は遠隔に結合された、コンピュータ可読媒体に供給され得る。コンピュータ可読媒体は、限定するものではないがたとえば、ディスク及びテープ記憶媒体を含む磁気記憶媒体；コンパクト・ディスク媒体（たとえば、ＣＤ−ＲＯＭ、ＣＤ−Ｒなど）及びデジタル・ビデオ・ディスク記憶媒体などの光学記憶媒体；フラッシュ・メモリ、ＥＥＰＲＯＭ、ＥＰＲＯＭ、ＲＯＭなどの半導体ベースのメモリ・ユニットを含む不揮発性メモリ記憶媒体；強磁性デジタル・メモリ；ＭＲＡＭ；レジスタ、バッファ又はキャッシュ、メイン・メモリ、ＲＡＭなどを含む揮発性記憶媒体、のうちのいくつでも含むことができる。コンピュータ処理は通常、実行中の（動作中の）プログラム又はプログラムの一部、現在のプログラム値及び状態情報、並びにプロセスの実行を管理するためにオペレーティング・システムによって使用されるリソースを含む。オペレーティング・システム（ＯＳ）は、コンピュータのリソースの共有を管理し、それらのリソースにアクセスするために使用されるインタフェースをプログラマに提供するソフトウェアである。オペレーティング・システムは、システム・データ及びユーザ入力を処理し、システムのユーザ及びシステムのプログラムへのサービスとして、タスク及び内部システム・リソースを割り当てて管理することによって応答する。コンピュータ・システムは、たとえば、少なくとも１つの処理ユニット、関連するメモリ、及びいくつかの入力／出力（Ｉ／Ｏ）装置を備えることができる。コンピュータ・プログラムを実行するとき、コンピュータ・システムは、コンピュータ・プログラムに従って情報を処理し、Ｉ／Ｏ装置を介して、結果として得られる出力情報を生成する。
【０１３５】
前述の明細書において、本発明を、本発明の実施例の具体的な実例を参照して説明してきた。しかし、添付の特許請求の範囲に示す本発明のより広い趣旨及び範囲から逸脱することなく、その中で様々な修正及び変更がなされ得ることは明らかであろう。
【０１３６】
さらに、説明及び特許請求の範囲における「前（ｆｒｏｎｔ）」、「後（ｂａｃｋ）」、「上（ｔｏｐ）」、「下（ｂｏｔｔｏｍ）」、「〜の上（ｏｖｅｒ）」、「〜の下（ｕｎｄｅｒ）」などの用語は、もしあれば、説明の目的で使用されており、必ずしも恒久的な相対位置を説明するためではない。そのように使用される用語は、本明細書に記載の本発明の実施例が、たとえば、本明細書で図示された又はさもなければ説明された配向以外の配向で動作できるように、適切な状況下で交換可能であることを理解されたい。
【０１３７】
論理ブロック間の境界は単なる例示であり、代替の実施例では、論理ブロック又は回路要素を併合できること、又は様々な論理ブロック又は回路要素に機能の代替的な分解を課すことができることを、当業者は認識されよう。したがって、本明細書に示すアーキテクチャは単なる例示であり、実際は、同じ機能を達成する他の多くのアーキテクチャが実施され得ることを理解されたい。
【０１３８】
同じ機能を達成するための構成要素のどんな配置も、所望の機能が達成されるように、効果的に「関連付けられる」。したがって、特定の機能を達成するために本明細書で組み合わされるどんな２つの構成要素も、アーキテクチャ又は中間の構成要素に関わらず、所望の機能が達成されるように、互いに「関連付けられる」と見なされ得る。同様に、そのように関連付けられたどんな２つの構成要素もまた、所望の機能を達成するために、互いに「動作可能に接続されている」又は「動作可能に結合されている」と見なされ得る。
【０１３９】
さらに、前述の動作間の境界が単なる例示であることを、当業者は認識されよう。複数の動作は、単一の動作に組み合わせることができ、単一の動作は、追加の複数の動作に分散することができ、複数の動作は少なくとも部分的に、時間的に並行して実行することができる。さらに代替の実施例は、特定の動作の複数の例を含むことができ、また動作の順序を、様々な他の実施例で変更することができる。
【０１４０】
またたとえば、一実施例において、例示された実例は、単一の集積回路上に、又は同じ装置内に配置された回路構成として実施され得る。或いは、その実例は、好適なやり方で互いに相互接続された、任意の数の別々の集積回路又は別々の装置として実施され得る。
【０１４１】
またたとえば、実例又はその一部は、任意の適切な種類のハードウェア記述言語などで、物理回路構成又は物理回路構成に変換可能な論理表現の、ソフト表現又はコード表現として実施され得る。
【０１４２】
また本発明は、プログラム不可能なハードウェアで実施される物理的な装置又はユニットに限定されるものではなく、本出願で一般に「コンピュータ・システム」と呼ばれている、メインフレーム、ミニコンピュータ、サーバ、ワークステーション、パーソナル・コンピュータ、ノートパッド、パーソナル・デジタル・アシスタント、電子ゲーム、自動車用及び他の組込型システム、セル電話及び他の様々な無線装置など、好適なプログラム・コードに従って動作することにより、所望の装置機能を実行できる、プログラム可能な装置又はユニットにもまた適用することができる。
【０１４３】
しかし、他の修正形態、変形形態、及び代替形態もまた可能である。したがって、本明細書及び図面は、限定的な意味ではなく例示的な意味で見なされるべきである。
【０１４４】
特許請求の範囲において、括弧内に置かれたいかなる参照符号も、請求項を限定するものとは解釈されないものとする。単語「含む（ｃｏｍｐｒｉｓｉｎｇ）」は、請求項に列挙されたもの以外の要素又はステップの存在を排除するものではない。さらに、本明細書で使用される「１つの（ａ）」又は「１つの（ａｎ）」という用語は、１つ又は複数として定義される。また、特許請求の範囲における「少なくとも１つ（ａｔ  ｌｅａｓｔ  ｏｎｅ）」及び「１つ又は複数（ｏｎｅ  ｏｒ  ｍｏｒｅ）」などの導入句の使用は、不定冠詞「ａ」又は「ａｎ」による別の請求項の要素の導入が、同じ請求項が導入句「ｏｎｅ  ｏｒ  ｍｏｒｅ」又は「ａｔ  ｌｅａｓｔ  ｏｎｅ」、及び「ａ」又は「ａｎ」などの不定冠詞を含むときでさえも、かかる導入された請求項の要素を含む任意の特定の請求項を、かかる１つの要素だけを含む発明に限定することを意味すると解釈されるべきではない。定冠詞の使用についても同様である。特に記載しない限り、「第一の（ｆｉｒｓｔ）」及び「第２の（ｓｅｃｏｎｄ）」などの用語は、かかる用語が説明する要素間を任意に区別するために使用される。したがって、こうした用語は、必ずしもかかる要素の時間的又は他の優先順位付けを示すことを意図しない。特定の手段が、相互に異なる請求項に記載されているという単なる事実は、これらの手段の組合せが有利に使用され得ないことを示すものではない。
【０１４５】
本明細書では本発明の特定の特徴を例示し説明してきたが、今では当業者は、多くの修正形態、置換形態、変更形態、及び等価物を思いつくであろう。したがって、添付の特許請求の範囲は、本発明の真の趣旨の範囲内に入るすべてのかかる修正形態及び変更形態を網羅するように意図されていることを理解されたい。
【図１】
2019534082.tif 000003
【図２】
2019534082.tif 000004
【図３】
2019534082.tif 000005
【図４】
2019534082.tif 000006
【図５】
2019534082.tif 000007
【図６】
2019534082.tif 000008
【図７】
2019534082.tif 000009
【図８】
2019534082.tif 000010
【図９】
2019534082.tif 000011
【図１０】
2019534082.tif 000012
【国際調査報告】
2019534082.tif 000013
2019534082.tif 000014
2019534082.tif 000015
2019534082.tif 000016
2019534082.tif 000017